(57)【要約】  【課題】  非接触通信中のＩＣカードの不正な読取りを防止することができ、かつ、二つのＩＣカードの各々と相互に電波干渉することなく非接触通信可能なＩＣカード処理装置を提供する。  【解決手段】  ＩＣカードリーダライタ装置１は、ＩＣカード７が装着されるＩＣカードスロット１６と、作業者識別カード５が装着される識別カード載せ台６と、ＩＣカード７と非接触通信可能なＩＣカード用アンテナ１７と、作業者識別カード５と非接触通信可能な識別カード用アンテナ９と、ＩＣカードスロット１６とＩＣカード用アンテナ１７の周囲を覆う透明電磁遮蔽板１９と金属薄膜層２１とを備える。【選択図】  図１
2007293646.tif 000002
【特許請求の範囲】
【請求項１】
第１のＩＣカードが装着される第１のカード装着部と、
第２のＩＣカードが装着される第２のカード装着部と、
前記第１のカード装着部の近傍に備えられ、前記第１のＩＣカードと非接触通信可能な第１の通信アンテナと、
前記第２のカード装着部の近傍に備えられ、前記第２のＩＣカードと非接触通信可能な第２の通信アンテナと、
前記第１のカード装着部と前記第１の通信アンテナの周囲を覆う電磁遮蔽体と、
を備えたことを特徴とするＩＣカード処理装置。
【請求項２】
前記第１のＩＣカードが、データ処理を施す処理対象ＩＣカードであり、
前記第２のＩＣカードが、前記処理対象ＩＣカードにデータ処理を施す作業者の認証用ＩＣカードであることを特徴とする請求項１に記載のＩＣカード処理装置。
【請求項３】
前記処理対象ＩＣカードは、カード面に情報記載領域を有しており、
前記第１のカード装着部には、前記処理対象ＩＣカードが装着されたときに前記情報記載領域に対応する位置に開口部が設けられ、
前記電磁遮蔽体には、前記第１のカード装着部に前記処理対象ＩＣカードが装着されたときに前記情報記載領域に対応する位置に透明部分が設けられたことを特徴とする請求項２に記載のＩＣカード処理装置。
【請求項４】
前記第１のカード装着部は、
前記処理対象ＩＣカードと前記第１の通信アンテナとが前記電磁遮蔽体による電波干渉を受けずに非接触通信できる非電波干渉位置まで、前記処理対象ＩＣカードを前記電磁遮蔽体から隔離する隔離スペーサを備えたことを特徴とする請求項２または請求項３に記載のＩＣカード処理装置。
【請求項５】
前記隔離スペーサは、前記第１のカード装着部に前記処理対象ＩＣカードが装着されたときに前記情報記載領域の存在しない非情報記載領域に対応する位置に設けられたことを特徴とする請求項４に記載のＩＣカード処理装置。
【請求項６】
前記第１のカード装着部は、前記第２のカード装着部に対して回動可能であることを特徴とする請求項１ないし請求項５のいずれかに記載のＩＣカード処理装置。
【発明の詳細な説明】
【技術分野】
【０００１】
本発明は、二つのＩＣカードの各々と非接触通信可能なＩＣカード処理装置に関するものである。
【背景技術】
【０００２】
従来のＩＣカード処理装置として、一つのＩＣカードと非接触通信を行うリーダライタが知られている。従来のリーダライタは、ＩＣカードと通信を行うアンテナと、ＩＣカードが装着されるカード装着部を備えている。
【０００３】
従来のリーダライタでは、ＩＣカードをカード装着部に装着すると、アンテナからＩＣカードへ向けて通信電波が放出される。ＩＣカードがアンテナからの通信電波を受信すると、電磁誘導によって通信電波がＩＣカードからアンテナへ向けて放出される。このように、リーダライタとＩＣカードが電磁誘導結合することにより、ＩＣカードと非接触通信が行われる（例えば特許文献１参照）。
【特許文献１】特開２００５−１２２３４８号公報（第３−４頁、第１図）
【発明の開示】
【発明が解決しようとする課題】
【０００４】
しかしながら、従来のリーダライタにおいては、カード装着部に装着されたＩＣカードと非接触通信を行うときに、ＩＣカードからアンテナへ向けて放出された通信電波が、リーダライタの外部へ僅かに漏洩することがある。そのため、第三者が高性能なアンテナ装置を用いた場合には、ＩＣカードから放出された通信電波が第三者に傍受され、ＩＣカードのデータ情報が不正に読み取られるおそれがある。
【０００５】
本発明は、上記従来の問題を解決するためになされたもので、非接触通信中のＩＣカードの不正な読取りを防止することができ、かつ、二つのＩＣカードの各々と相互に電波干渉することなく非接触通信することが可能なＩＣカード処理装置を提供することを目的とする。
【課題を解決するための手段】
【０００６】
本発明のＩＣカード処理装置は、第１のＩＣカードが装着される第１のカード装着部と、第２のＩＣカードが装着される第２のカード装着部と、前記第１のカード装着部の近傍に備えられ、前記第１のＩＣカードと非接触通信可能な第１の通信アンテナと、前記第２のカード装着部の近傍に備えられ、前記第２のＩＣカードと非接触通信可能な第２の通信アンテナと、前記第１のカード装着部と前記第１の通信アンテナの周囲を覆う電磁遮蔽体と、を備えた構成を有している。
【０００７】
この構成により、第１のＩＣカードを第１のカード装着部に装着すると、第１のＩＣカードと第１の通信アンテナが電磁誘導結合して非接触通信が行われる。このとき、第１のカード装着部と第１の通信アンテナの周囲が電磁遮蔽体によって電磁的に遮蔽されている。これにより、第１のＩＣカードから第１の通信アンテナへ向けて放出された通信電波が、外部へ漏洩するのが防止される。したがって、第１のＩＣカードの通信電波が第三者に傍受されるのを防ぐことができ、第１のＩＣカードのデータ情報が非接触通信中に第三者に不正に読み取られるのを防止することができる。また、第２のＩＣカードを第２のカード装着部に装着すると、第２のＩＣカードと第２の通信アンテナが電磁誘導結合して非接触通信が行われる。このとき、第１のＩＣカードから第１の通信アンテナへ向けて放出された通信電波が、外部へ漏洩するのが防止されているので、第１のＩＣカードと第１の通信アンテナとの通信電波と、第２のＩＣカードと第２の通信アンテナとの通信電波とが、互いに電波干渉するのを防止することができる。これにより、電波干渉による誤動作の発生を抑えることができ、ＩＣカード処理装置の動作の信頼性が向上する。
【０００８】
また、本発明のＩＣカード処理装置では、前記第１のＩＣカードが、データ処理を施す処理対象ＩＣカードであり、前記第２のＩＣカードが、前記処理対象ＩＣカードにデータ処理を施す作業者の認証用ＩＣカードである構成を有している。
【０００９】
この構成により、処理対象ＩＣカードから第１の通信アンテナへ向けて放出された通信電波が、外部へ漏洩するのが防止される。したがって、処理対象ＩＣカードの通信電波が第三者に傍受されるのを防ぐことができ、処理対象ＩＣカードのデータ情報が非接触通信中に第三者に不正に読み取られるのを防止することができる。また、この場合、認証用ＩＣカードを用いて、処理対象ＩＣカードにデータ処理を施す作業者の認証が行われる。これにより、処理対象ＩＣカードのデータ処理が第三者によって不正に行われるのを防止することができる。
【００１０】
また、本発明のＩＣカード処理装置では、前記処理対象ＩＣカードは、カード面に情報記載領域を有しており、前記第１のカード装着部には、前記処理対象ＩＣカードが装着されたときに前記情報記載領域に対応する位置に開口部が設けられ、前記電磁遮蔽体には、前記第１のカード装着部に前記処理対象ＩＣカードが装着されたときに前記情報記載領域に対応する位置に透明部分が設けられた構成を有している。
【００１１】
この構成により、処理対象ＩＣカードを第１のカード装着部に装着した状態で、第１のカード装着部の開口部および電磁遮蔽体の透明部分を通して、処理対象ＩＣカードの情報記載領域を視認することができる。これにより、データ処理を施す作業中に、処理対象ＩＣカードの情報記載領域の記載内容を作業者が容易に確認することができる。
【００１２】
また、本発明のＩＣカード処理装置では、前記第１のカード装着部は、前記処理対象ＩＣカードと前記第１の通信アンテナとが前記電磁遮蔽体による電波干渉を受けずに非接触通信できる非電波干渉位置まで、前記処理対象ＩＣカードを前記電磁遮蔽体から隔離する隔離スペーサを備えた構成を有している。
【００１３】
この構成により、非電波干渉位置まで、処理対象ＩＣカードが電磁遮蔽体から隔離される。すなわち、隔離スペーサを処理対象ＩＣカードと電磁遮蔽体との間に介在させることにより、処理対象ＩＣカードが非電波干渉位置よりも電磁遮蔽体に近づくのが防止される。これにより、処理対象ＩＣカードが電磁遮蔽体に過度に近づくのを防止でき、電磁遮蔽体による電波干渉の影響を受けて処理対象ＩＣカードと第１の通信アンテナとの非接触通信が阻害されるのを防ぐことができる。
【００１４】
また、本発明のＩＣカード処理装置では、前記隔離スペーサは、前記第１のカード装着部に前記処理対象ＩＣカードが装着されたときに前記情報記載領域の存在しない非情報記載領域に対応する位置に設けられた構成を有している。
【００１５】
この構成により、処理対象ＩＣカードを第１のカード装着部に装着した状態で、処理対象ＩＣカードの情報記載領域が隔離スペーサに遮られて視認できなくなるのを防止できる。したがって、データ処理を施す作業中に、処理対象ＩＣカードの情報記載領域の記載内容を作業者が容易に確認することができる。
【００１６】
また、本発明のＩＣカード処理装置では、前記第１のカード装着部は、前記第２のカード装着部に対して回動可能である構成を有している。
【００１７】
この構成により、第１のカード装着部を第２のカード装着部に対して回動させて、第１のカード装着部の傾きを作業者の体格や姿勢等に応じて調節することができる。例えば、第１のカード装着部の傾きを、処理対象ＩＣカードの情報記載領域の記載内容を確認しやすい傾きや、第１のＩＣカード（処理対象ＩＣカード）の挿入や取出しをしやすい傾きに調節することができる。これにより、第１のＩＣカード（処理対象ＩＣカード）の記載内容の確認作業、第１のＩＣカード（処理対象ＩＣカード）の装着作業や取出し作業の作業性が向上する。
【発明の効果】
【００１８】
本発明は、第１のカード装着部に装着された第１のＩＣカードと非接触通信可能な第１の通信アンテナと、第２のカード装着部に装着された第２のＩＣカードと非接触通信可能な第２の通信アンテナと、第１のカード装着部と第１の通信アンテナの周囲を覆う電磁遮蔽体を設けることにより、非接触通信中のＩＣカードの不正な読取りを防止することができ、かつ、相互に電波干渉することなく二つのＩＣカードの各々と非接触通信することが可能であるという効果を有するＩＣカード処理装置を提供することができるものである。
【発明を実施するための最良の形態】
【００１９】
以下、本発明の実施の形態のＩＣカード処理装置について、図面を用いて説明する。本実施の形態では、例えば、ＩＣカードに記録された情報の読取りおよび追記（例えば、住所情報の確認、変更情報の追加等）を行うＩＣカードリーダライタ装置等に用いられるＩＣカード処理装置の場合を例示する。また、ＩＣカードリーダライタ装置で処理するＩＣカードは、例えば、運転免許証、旅券（パスポート）、健康保険証、住民票などの身分証明書として用いられる身分証明用（本人確認用）のＩＣカードである。
【００２０】
本発明の実施の形態のＩＣカードリーダライタ装置を図１〜図６に示す。図１は、本実施の形態のＩＣカードリーダライタ装置１の斜視図である。図２は、ＩＣカードリーダライタ装置１の側断面図である。図１および図２に示すように、ＩＣカードリーダライタ装置１は、装置本体２と、装置本体２にヒンジ部３を介して１８０°回動可能に取り付けられるカードホルダ４で構成されている。
【００２１】
装置本体２の上面の中央部分には、作業者識別カード５を載置するための識別カード載せ台６が設けられている。この作業者識別カード５は、ＩＣカード７の情報の読取りおよび追記作業を行う作業者の認証を行うための認証用ＩＣカードであり、作業者の認証を行うための認証データが記録されたＩＣチップ８が内蔵されている。そして、識別カード載せ台６の下側には、作業者識別カードのＩＣチップ８と非接触通信可能な識別カード用アンテナ９が近接して備えられている（図２参照）。ここでは、作業者識別カード５が、本発明の認証用ＩＣカード（第２のＩＣカード）に相当する。また、識別カード載せ台６が、本発明の第２のカード装着部に相当する。また、識別カード用アンテナ９が、本発明の第２の通信アンテナに相当する。
【００２２】
装置本体２の上面の手前側部分には、指紋を用いて作業者の認証を行う指紋認証装置１０が備えられている。また、ここでは特に図示しないが、装置本体２には、通信ケーブルを介してコンピュータ端末装置が接続されている。そして、ＩＣカードリーダライタ装置１は、コンピュータ端末装置で作業者の識別パスワードを入力することにより、ＩＣカード７の情報の読取りおよび追記作業を行う作業者の認証を行うことができるように構成されている。
【００２３】
図３は、ＩＣカードリーダライタ装置１のカードホルダ４およびＩＣカード７の分解斜視図であり、図４は、カードホルダ４の正面図である。図５は、カードホルダ４のカード差込み方向（ＩＣカード７の差込み方向）からの断面図である。図６は、カードホルダ４を傾斜状態にしたときの側断面図であり、図７は、カードホルダ４を垂直状態にしたときの側断面図である。
【００２４】
ここでは、まず、カードホルダ４に装着されるＩＣカード７の構成について説明する。図３に示すように、ＩＣカード７のカード面の中央部分１１には、ＩＣカード７の所有者の顔写真、氏名、年齢、住所などの個人情報が記載されている。また、ＩＣカード７には、これらの個人情報が記録されたＩＣチップ１２が内蔵されている。ここでは、ＩＣカード７が、本発明の処理対象ＩＣカード（第１のＩＣカード）に相当する。そして、ＩＣカード７のカード面の中央部分１１が、本発明の情報記載領域に相当し、ＩＣカード７のカード面の端部分１３が、本発明の非情報記載領域に相当する。
【００２５】
つぎに、カードホルダ４の構成について説明する。図３〜図７に示すように、カードホルダ４は、手前側（図５における下側、図７における左側）のホルダ筐体１４と、奥側（図５における上側、図７における右側）のカバー筐体１５に分割可能である。そして、ホルダ筐体１４の手前側の中央部分には、ＩＣカード７を差し込むためのＩＣカードスロット１６が設けられている。そして、ＩＣカードスロット１６の奥側には、ホルダ筐体１４とカバー筐体１５の間において、ＩＣカード７のＩＣチップ１２と非接触通信可能なＩＣカード用アンテナ１７が近接して備えられている（図５〜図７参照）。ここでは、ＩＣカードスロット１６が、本発明の第１のカード装着部に相当する。また、ＩＣカード用アンテナ１７が、本発明の第１の通信アンテナに相当する。
【００２６】
図５〜図７に示すように、ホルダ筐体１４の手前側の左右の両側辺部および下辺部には、ＩＣカードスロット１６の手前側において、略Ｕ字形状の嵌合溝１８が設けられている。そして、略Ｕ字形状の嵌合溝１８には、透明電磁遮蔽板１９が挿着されている。透明電磁遮蔽板１９は、アクリルやポリカーボネイト等の透明樹脂に、銅やアルミニウム等の金属製の細線がメッシュ状に溶着されたものである。なお、本実施の形態では、透明電磁遮蔽板１９の上部に、ＩＣカード７をスロット１６から容易に取り出すための半円状の切欠き部２０が設けられている（図１参照）。一方、カバー筐体１５の手前側の表面およびホルダ筐体１４の左右両側の内面には、アルミニウム等の金属を蒸着することによって金属薄膜層２１が形成されている。このようにして、ＩＣカードスロット１６とＩＣカード用アンテナ１７の周囲は、透明電磁遮蔽板１９と金属薄膜層２１によって覆われており、電磁的に遮蔽されている。ここでは、透明電磁遮蔽板１９と金属薄膜層２１が、本発明の電磁遮蔽体に相当し、透明電磁遮蔽板１９が、本発明の電磁遮蔽体の透明部分に相当する。
【００２７】
本実施の形態では、ＩＣカードスロット１６の手前側の中央部分に開口部２２が設けられている（図２参照）。すなわち、ＩＣカードスロット１６の開口部２２は、ＩＣカード７がＩＣカードスロット１６に差し込まれたときにＩＣカード７のカード面の中央部分１１（情報記載領域）に対応する位置に設けられているともいえる。また、ＩＣカードスロット１６の手前側には、透明電磁遮蔽板１９が取り付けられている。すなわち、この透明電磁遮蔽板１９は、ＩＣカード７がＩＣカードスロット１６に差し込まれたときにＩＣカード７のカード面の中央部分１１（情報記載領域）に対応する位置に取り付けられているともいえる。
【００２８】
図３および図４に示すように、ＩＣカードスロット１６の手前側の左右の両側辺部および下辺部には、先端部に突起部２３を有する略Ｕ字形状のスペーサリブ２４が設けられている。このスペーサリブ２４は適度な厚みを有しており、ＩＣカード７がＩＣカードスロット１６に差し込まれた状態で、ＩＣカード７を透明電磁遮蔽板１９から隔離するように構成されている。本実施の形態では、スペーサリブ２４がＩＣカード７と透明電磁遮蔽板１９との間に介在することによって、ＩＣカード７のＩＣチップ１２とＩＣカード用アンテナ１７が非接触通信を行うときに、透明電磁遮蔽板１９による電波干渉をほとんど受けることがないような非電波干渉位置まで、ＩＣカード７が透明電磁遮蔽板１９から隔離されている。
【００２９】
本実施の形態では、スペーサリブ２４は、ＩＣカードスロット１６の左右の両側辺部および下辺部に設けられている。すなわち、スペーサリブ２４は、ＩＣカード７がＩＣカードスロット１６に差し込まれたときにＩＣカード７のカード面の左右両側の端部分１３（非情報記載領域）に対応する位置に設けられているともいえる。
【００３０】
以上のように構成されたＩＣカードリーダライタ装置１について、その動作を説明する。
【００３１】
本発明の実施の形態のＩＣカードリーダライタ装置１でＩＣカード７に記録された情報の読取りおよび追記（データ処理）を行うときには、まず、作業者識別カード５を用いて、ＩＣカード７のデータ処理を行う作業者の認証を行う。
【００３２】
装置本体２の識別カード載せ台６の上に作業者識別カード５を載せると、作業者識別カード５のＩＣチップ８と識別カード用アンテナ９との間で電磁誘導結合による非接触通信が行われ、作業者の認証（個人認証）が行われる。
【００３３】
本実施の形態では、作業者識別カード５による個人認証に加えて、指紋認証装置１０による個人認証が行われ、さらに、コンピュータ端末装置に識別パスワードを入力することによる個人認証も行われる。ＩＣカード７のデータ処理を行う作業者として認証されると、ＩＣカード７に記録された情報の読取りおよび追記（データ処理）を行うことが許可される。
【００３４】
ＩＣカード７をＩＣカードスロット１６に差し込むと、ＩＣカード７のＩＣチップ１２とＩＣカード用アンテナ１７との間で電磁誘導結合による非接触通信が行われる。そして、コンピュータ操作端末を用いて、ＩＣカード７の情報の書き換え処理を行う。
【００３５】
このとき、カードホルダ４を装置本体２に対して回動させて、カードホルダ４のＩＣカードスロット１６の傾きを作業者の体格や姿勢等に合わせて、作業しやすい角度に調節する。例えば、ＩＣカード７の情報記載領域の記載内容を確認しやすい角度や、ＩＣカード７の抜き差しを行いやすい角度に、カードホルダ４の傾きを調節する。例えば、図６に示すような傾斜状態から図７に示すような垂直状態へ、カードホルダ４の傾きを調節する。
【００３６】
本実施の形態では、ＩＣカードスロット１６の幅がＩＣカード７の厚さよりも大きく設定されている。したがって、カードホルダ４を装置本体２に対して手前側（図７における左側）に向けて回動させると、ＩＣカードスロット１６に差し込まれたＩＣカード７が、カードホルダ４の回動時の慣性力を受けて、手前側へ倒れることがある。そのような場合でも、図７に示すように、ＩＣカード７は、スペーサリブ２４によって透明電磁遮蔽板１９から十分遠くに（非電波干渉位置まで）隔離されている。
【００３７】
そして、ＩＣカード７に記録された情報の読取りおよび追記が終了したら、ＩＣカード７をＩＣカードスロット１６から取り出す。このようにして、ＩＣカード７のデータ処理が完了する。
【００３８】
このような発明の実施の形態のＩＣカードリーダライタ装置１によれば、ＩＣカードスロット１６に差し込まれたＩＣカード７と非接触通信可能なＩＣカード用アンテナ１７と、識別カード載せ台６に載置された作業者識別カード５と非接触通信可能な識別カード用アンテナ９と、ＩＣカードスロット１６とＩＣカード用アンテナ１７の周囲を覆う透明電磁遮蔽板１９と金属薄膜層２１を設けることにより、非接触通信中にＩＣカード７の情報が不正に読み取られるのを防止することができ、かつ、相互に電波干渉することなくＩＣカード７と作業者識別カード５の各々と非接触通信することが可能である。
【００３９】
すなわち、本実施の形態では、ＩＣカード７をＩＣカードスロット１６に差し込むと、ＩＣカード７とＩＣカード用アンテナ１７が電磁誘導結合して非接触通信が行われる。このとき、ＩＣカードスロット１６とＩＣカード用アンテナ１７の周囲が透明電磁遮蔽板１９と金属薄膜層２１によって電磁的に遮蔽されている。これにより、ＩＣカード７からＩＣカード用アンテナ１７へ向けて放出された通信電波が、外部へ漏洩するのが防止される。したがって、ＩＣカード７の通信電波が第三者に傍受されるのを防ぐことができ、ＩＣカード７のデータ情報（個人情報）が非接触通信中に第三者に不正に読み取られるのを防止することができる。
【００４０】
また、作業者識別カード５を識別カード載せ台６に載置すると、作業者識別カード５と識別カード用アンテナ９が電磁誘導結合して非接触通信が行われる。このとき、ＩＣカード７からＩＣカード用アンテナ１７へ向けて放出された通信電波が、外部へ漏洩するのが防止されているので、ＩＣカード７とＩＣカード用アンテナ１７との通信電波と、作業者識別カード５と識別カード用アンテナ９との通信電波とが、互いに電波干渉するのを防止することができる。これにより、電波干渉による誤動作の発生を抑えることができ、ＩＣカードリーダライタ装置１の動作の信頼性が向上する。
【００４１】
また、本実施の形態では、作業者識別カード５を用いて、ＩＣカード７にデータ処理を施す作業者の認証が行われる。さらに、指紋認証装置１０および認証パスワードによっても作業者の認証が行われる。これにより、ＩＣカード７のデータ処理が第三者によって不正に行われるのを防止することができ、個人情報保護の安全性が向上する。
【００４２】
また、本実施の形態では、非電波干渉位置まで、ＩＣカード７が透明電磁遮蔽板１９から隔離される。すなわち、スペーサリブ２４をＩＣカード７と透明電磁遮蔽板１９との間に介在させることにより、ＩＣカード７が非電波干渉位置よりも透明電磁遮蔽板１９に近づくのが防止される。これにより、ＩＣカード７が透明電磁遮蔽板１９に過度に近づくのを防止でき、透明電磁遮蔽板１９による電波干渉の影響を受けてＩＣカード７とＩＣカード用アンテナ１７との非接触通信が阻害されるのを防ぐことができる。
【００４３】
また、本実施の形態では、ＩＣカード７をＩＣカードスロット１６に差し込んだ状態で、ＩＣカードスロット１６の開口部２２および透明電磁遮蔽板１９を通して、ＩＣカード７の情報記載領域を視認することができる。これにより、データ処理を施す作業中に、ＩＣカード７の情報記載領域の記載内容を作業者が容易に確認することができる。
【００４４】
また、本実施の形態では、ＩＣカード７をＩＣカードスロット１６に差し込んだ状態で、ＩＣカード７の情報記載領域がスペーサリブ２４に遮られて視認できなくなるのを防止できる。したがって、データ処理を施す作業中に、ＩＣカード７の情報記載領域の記載内容を作業者が容易に確認することができる。
【００４５】
また、本実施の形態では、カードホルダ４を装置本体２に対して回動させて、カードホルダ４のＩＣカードスロット１６の傾きを作業者の体格や姿勢等に応じて調節することができる。例えば、ＩＣカードスロット１６の傾きを、ＩＣカード７の情報記載領域の記載内容を確認しやすい傾きや、ＩＣカード７の挿入や取出しをしやすい傾きに調節することができる。これにより、ＩＣカード７の記載内容の確認作業、ＩＣカード７の差込み作業や取出し作業の作業性が向上する。
【００４６】
以上、本発明の実施の形態を例示により説明したが、本発明の範囲はこれらに限定されるものではなく、請求項に記載された範囲内において目的に応じて変更・変形することが可能である。
【００４７】
例えば、以上の説明では、ＩＣカード処理装置の一例として、ＩＣカード７に記録された情報の読取りおよび追記を行うＩＣカードリーダライタ装置１の場合を例示して説明したが、本発明の範囲はこれに限定されるものではない。
【産業上の利用可能性】
【００４８】
以上のように、本発明にかかるＩＣカード処理装置は、非接触通信中のＩＣカードの不正な読取りを防止することができ、かつ、二つのＩＣカードの各々と相互に電波干渉することなく非接触通信することが可能であるという効果を有し、ＩＣカードと作業者識別カードの各々と非接触通信可能なＩＣカードリーダライタ装置等として有用である。
【図面の簡単な説明】
【００４９】
【図１】本発明の実施の形態におけるＩＣカードリーダライタ装置の斜視図
【図２】本発明の実施の形態におけるＩＣカードリーダライタ装置の側断面図
【図３】本発明の実施の形態におけるＩＣカードリーダライタ装置のカードホルダの分解斜視図
【図４】本発明の実施の形態におけるＩＣカードリーダライタ装置のカードホルダの正面図
【図５】本発明の実施の形態におけるＩＣカードリーダライタ装置のカードホルダのＩＣカード差込み方向からの断面図
【図６】本発明の実施の形態におけるＩＣカードリーダライタ装置のカードホルダ（傾斜状態）の側断面図
【図７】本発明の実施の形態におけるＩＣカードリーダライタ装置のカードホルダ（垂直状態）の側断面図
【符号の説明】
【００５０】
１  ＩＣカードリーダライタ装置
２  装置本体
４  カードホルダ
５  作業者識別カード
６  識別カード載せ台
７  ＩＣカード
９  識別カード用アンテナ
１１  ＩＣカードのカード面の中央部分
１３  ＩＣカードのカード面の端部分
１４  ホルダ筐体
１５  カバー筐体
１６  ＩＣカードスロット
１７  ＩＣカード用アンテナ
１９  透明電磁遮蔽板
２１  金属薄膜層
【図１】
2007293646.tif 000003
【図２】
2007293646.tif 000004
【図３】
2007293646.tif 000005
【図４】
2007293646.tif 000006
【図５】
2007293646.tif 000007
【図６】
2007293646.tif 000008
【図７】
2007293646.tif 000009